(57)【要約】【課題】コンテンツファイル自体を移動して保存する方式によらず、コンテンツを閲覧するために無駄な通信料を削減し、また、利用者のユーザビリティを向上させること。【解決手段】携帯電話装置のブラウザアプリケーションから、短距離無線通信を利用して、パーソナルコンピュータ１０上で利用者がＷｅｂブラウザ１１を用いて参照した一般ＰＣサイト等のコンテンツキャッシュファイル１３を参照することで、以前参照したコンテンツのブラウジングが可能となる。より詳細には、キャッシュ参照プログラム１２が、携帯電話装置からの履歴情報取得要求があると履歴の一覧情報を送り返し、コンテンツ取得要求があると要求されたコンテンツファイルの送信を送り返す。【選択図】図１
2008176643.tif 000002
【特許請求の範囲】
【請求項１】
携帯電話用ブラウザを備える携帯電話端末装置と、ネットワークと通信を行い前記携帯電話用ブラウザが閲覧可能なコンテンツを取得しキャッシュデータとして保存する通信端末とが、短距離無線通信によって接続されているブラウジングシステムであって、
前記通信端末は、前記キャッシュデータの一覧を作成し、
前記携帯電話端末装置は、前記短距離無線通信を介して前記キャッシュデータの一覧を取得し、該キャッシュデータの一覧の中から操作者の選択により表示したいコンテンツを選択して、該選択されたコンテンツのキャッシュデータを、前記短距離無線通信を介して前記通信端末から取得して、前記携帯電話用ブラウザによって表示させることを特徴とするブラウジングシステム。
【請求項２】
前記通信端末は、さらにキャッシュ取得プログラムを有し、
前記携帯電話端末装置が前記通信端末にＵＲＬを伴う自動巡回要求を出した場合、
前記キャッシュ取得プログラムが前記ＵＲＬに基づくコンテンツを取得しキャッシュデータとして保存することを特徴とする請求項１記載のブラウジングシステム。
【請求項３】
前記通信端末が作成する前記キャッシュデータの一覧は、更新履歴の新しいキャッシュデータから順に並べられた一覧であって、所定のファイルサイズを有する一覧であることを特徴とする請求項１又は２記載のブラウジングシステム。
【請求項４】
前記携帯電話端末装置から前記短距離無線通信を介して表示したいコンテンツの取得要求があれば、
前記通信端末は、前記表示したいコンテンツから画像を省略したキャッシュデータを作成して、前記携帯電話端末装置に送信することを特徴とする請求項１から３のいずれか１項記載のブラウジングシステム。
【請求項５】
携帯電話用ブラウザを備える携帯電話端末装置と短距離無線通信によって接続されていて、ネットワークと通信を行い前記携帯電話用ブラウザが閲覧可能なコンテンツを取得しキャッシュデータとして保存する通信端末であって、
前記キャッシュデータの一覧を作成し、
前記携帯電話端末装置から前記短距離無線通信を介して前記キャッシュデータの一覧の取得要求があれば、前記キャッシュデータの一覧を送信し、
前記携帯電話端末装置から前記短距離無線通信を介して表示したいコンテンツの取得要求があれば、該表示したいコンテンツのキャッシュデータを送信することを特徴とする通信端末。
【請求項６】
前記通信端末は、さらにキャッシュ取得プログラムを有し、
前記携帯電話端末装置からＵＲＬを伴う自動巡回要求があれば、前記キャッシュ取得プログラムが前記ＵＲＬに基づくコンテンツを取得しキャッシュデータとして保存することを特徴とする請求項５記載の通信端末。
【請求項７】
前記キャッシュデータの一覧は、更新履歴の新しいキャッシュデータから順に並べられた一覧であって、所定のファイルサイズを有する一覧であることを特徴とする請求項５又は６記載の通信端末。
【請求項８】
前記携帯電話端末装置から前記短距離無線通信を介して表示したいコンテンツの取得要求があれば、
保存されている前記表示したいコンテンツのキャッシュデータから、画像を省略したキャッシュデータを作成して、前記携帯電話端末装置に送信することを特徴とする請求項５から７のいずれか１項記載の端末装置。
【請求項９】
携帯電話用ブラウザを備える携帯電話端末装置と短距離無線通信によって接続されていて、ネットワークと通信を行い前記携帯電話用ブラウザが閲覧可能なコンテンツを取得しキャッシュデータとして保存する通信端末のためのプログラムであって、
前記通信端末に、
前記キャッシュデータの一覧を作成する処理と、
前記携帯電話端末装置から前記短距離無線通信を介して前記キャッシュデータの一覧の取得要求があれば、前記キャッシュデータの一覧を送信する処理と、
前記携帯電話端末装置から前記短距離無線通信を介して表示したいコンテンツの取得要求があれば、該表示したいコンテンツのキャッシュデータを送信する処理と、
を実行させることを特徴とするプログラム。
【請求項１０】
前記通信端末に、
前記携帯電話端末装置からＵＲＬを伴う自動巡回要求があれば、前記ＵＲＬに基づくコンテンツを取得する処理と、
該取得したコンテンツをキャッシュデータとして保存する処理と、を実行させることを特徴とする請求項９記載のプログラム。
【請求項１１】
前記通信端末に、
前記キャッシュデータの一覧として、更新履歴の新しいキャッシュデータから順に並べられた一覧であって、所定のファイルサイズを有する一覧を作成する処理を実行させることを特徴とする請求項９又は１０記載のプログラム。
【請求項１２】
前記通信端末に、
前記携帯電話端末装置から前記短距離無線通信を介して表示したいコンテンツの取得要求があれば、
保存されている前記表示したいコンテンツのキャッシュデータから、画像を省略したキャッシュデータを作成しする処理と、
前記携帯電話端末装置に送信する処理と、を実行させることを特徴とする請求項９から１１のいずれか１項記載のプログラム。
【発明の詳細な説明】
【技術分野】
【０００１】
本発明は、ブラウジングシステム、端末装置及びプログラムに係り、より詳細には、携帯電話と端末装置が短距離無線通信で接続されているブラウジングシステム、その端末装置、及びその端末装置のためのプログラムに関する。
【背景技術】
【０００２】
近時、一般パーソナルコンピュータ向けのサイトを表示する携帯電話用Ｗｅｂブラウザを搭載した携帯電話装置がたくさん出ている。
【０００３】
ところが、例えば、ビジネスマンがノート型パーソナルコンピュータでブラウジングした後、再度内容を確認することが必要となった場合、再度ＰＣを操作するか、携帯電話装置の携帯電話用Ｗｅｂブラウザにて再度通信を行い、該当コンテンツを取得することになるが、携帯電話用Ｗｅｂブラウザで通信パケット量に応じて課金される方式の場合、莫大なパケット料金が必要となってしまうという問題がある。
【０００４】
この問題を解決するには、パーソナルコンピュータを使用することなく、通信不可の場所でも通信料がかからずに、以前参照したコンテンツのブラウジングを行うとよい。
【０００５】
パーソナルコンピュータ上のブラウザにより参照したコンテンツ情報はキャッシュファイルに保存されているため通信が不可能な場所でも、以前に参照したコンテンツはキャッシュファイルを利用することで参照可能である。
【０００６】
しかし外出先などで、以前参照したコンテンツを確認しようとした場合、満員電車の中などパーソナルコンピュータを取り出し作業することが困難な場合がある。
【０００７】
なお、以前参照したコンテンツのブラウジングを行うという点で、着眼点が似ている従来発明としては、特許文献１に開示された情報閲覧システムがある。また、着眼点は異なるものの、視聴者の嗜好データを基にコンテンツを自動収集する従来発明もある（例えば、特許文献２）。
【特許文献１】特開２００３−３３０８４７号公報
【特許文献２】特開２００３−１６３８４７号公報
【発明の開示】
【発明が解決しようとする課題】
【０００８】
しかしながら、上記従来技術には、次のような問題点があった。すなわち、特許文献１に開示された情報閲覧システムは、コンテンツファイル自体を移動する方式であり、ハードディスク装置のようなストレージを持たず、Ｗｅｂブラウザが使用できるランダムアクセスメモリの使用量も小さな携帯電話装置では、コンテンツファイル自体を保存することは向いていないのである。
【０００９】
そこで本発明は、上記従来技術の問題点に鑑み、コンテンツファイル自体を移動して保存する方式によらず、コンテンツを閲覧するために無駄な通信料を削減し、また、利用者のユーザビリティを向上させることを目的とする。
【課題を解決するための手段】
【００１０】
上記目的を達成するための請求項１記載の発明は、携帯電話用ブラウザを備える携帯電話端末装置と、ネットワークと通信を行い前記携帯電話用ブラウザが閲覧可能なコンテンツを取得しキャッシュデータとして保存する通信端末とが、短距離無線通信によって接続されているブラウジングシステムであって、前記通信端末は、前記キャッシュデータの一覧を作成し、前記携帯電話端末装置は、前記短距離無線通信を介して前記キャッシュデータの一覧を取得し、該キャッシュデータの一覧の中から操作者の選択により表示したいコンテンツを選択して、該選択されたコンテンツのキャッシュデータを、前記短距離無線通信を介して前記通信端末から取得して、前記携帯電話用ブラウザによって表示させることを特徴とするブラウジングシステムである。
【００１１】
請求項２記載の発明は、請求項１記載のブラウジングシステムにおいて、前記通信端末は、さらにキャッシュ取得プログラムを有し、前記携帯電話端末装置が前記通信端末にＵＲＬを伴う自動巡回要求を出した場合、前記キャッシュ取得プログラムが前記ＵＲＬに基づくコンテンツを取得しキャッシュデータとして保存することを特徴とする。
【００１２】
請求項３記載の発明は、請求項１又は２記載のブラウジングシステムにおいて、前記通信端末が作成する前記キャッシュデータの一覧は、更新履歴の新しいキャッシュデータから順に並べられた一覧であって、所定のファイルサイズを有する一覧であることを特徴とする。
【００１３】
請求項４記載の発明は、請求項１から３のいずれか１項記載のブラウジングシステムにおいて、前記携帯電話端末装置から前記短距離無線通信を介して表示したいコンテンツの取得要求があれば、前記通信端末は、前記表示したいコンテンツから画像を省略したキャッシュデータを作成して、前記携帯電話端末装置に送信することを特徴とする。
【００１４】
請求項５記載の発明は、携帯電話用ブラウザを備える携帯電話端末装置と短距離無線通信によって接続されていて、ネットワークと通信を行い前記携帯電話用ブラウザが閲覧可能なコンテンツを取得しキャッシュデータとして保存する通信端末であって、前記キャッシュデータの一覧を作成し、前記携帯電話端末装置から前記短距離無線通信を介して前記キャッシュデータの一覧の取得要求があれば、前記キャッシュデータの一覧を送信し、前記携帯電話端末装置から前記短距離無線通信を介して表示したいコンテンツの取得要求があれば、該表示したいコンテンツのキャッシュデータを送信することを特徴とする通信端末である。
【００１５】
請求項６記載の発明は、請求項５記載の通信端末において、前記通信端末は、さらにキャッシュ取得プログラムを有し、前記携帯電話端末装置からＵＲＬを伴う自動巡回要求があれば、前記キャッシュ取得プログラムが前記ＵＲＬに基づくコンテンツを取得しキャッシュデータとして保存することを特徴とする。
【００１６】
請求項７記載の発明は、請求項５又は６記載の通信端末において、前記キャッシュデータの一覧は、更新履歴の新しいキャッシュデータから順に並べられた一覧であって、所定のファイルサイズを有する一覧であることを特徴とする。
【００１７】
請求項８記載の発明は、請求項５から７のいずれか１項記載の端末装置において、前記携帯電話端末装置から前記短距離無線通信を介して表示したいコンテンツの取得要求があれば、保存されている前記表示したいコンテンツのキャッシュデータから、画像を省略したキャッシュデータを作成して、前記携帯電話端末装置に送信することを特徴とする。
【００１８】
請求項９記載の発明は、携帯電話用ブラウザを備える携帯電話端末装置と短距離無線通信によって接続されていて、ネットワークと通信を行い前記携帯電話用ブラウザが閲覧可能なコンテンツを取得しキャッシュデータとして保存する通信端末のためのプログラムであって、前記通信端末に、前記キャッシュデータの一覧を作成する処理と、前記携帯電話端末装置から前記短距離無線通信を介して前記キャッシュデータの一覧の取得要求があれば、前記キャッシュデータの一覧を送信する処理と、前記携帯電話端末装置から前記短距離無線通信を介して表示したいコンテンツの取得要求があれば、該表示したいコンテンツのキャッシュデータを送信する処理と、を実行させることを特徴とするプログラムである。
【００１９】
請求項１０記載の発明は、請求項９記載のプログラムにおいて、前記通信端末に、前記携帯電話端末装置からＵＲＬを伴う自動巡回要求があれば、前記ＵＲＬに基づくコンテンツを取得する処理と、該取得したコンテンツをキャッシュデータとして保存する処理と、を実行させることを特徴とする。
【００２０】
請求項１１記載の発明は、請求項９又は１０記載のプログラムにおいて、前記通信端末に、前記キャッシュデータの一覧として、更新履歴の新しいキャッシュデータから順に並べられた一覧であって、所定のファイルサイズを有する一覧を作成する処理を実行させることを特徴とする。
【００２１】
請求項１２記載の発明は、請求項９から１１のいずれか１項記載のプログラムにおいて、前記通信端末に、前記携帯電話端末装置から前記短距離無線通信を介して表示したいコンテンツの取得要求があれば、保存されている前記表示したいコンテンツのキャッシュデータから、画像を省略したキャッシュデータを作成しする処理と、前記携帯電話端末装置に送信する処理と、を実行させることを特徴とする。
【発明の効果】
【００２２】
本発明によれば、コンテンツを閲覧するために無駄な通信料を削減し、また、利用者のユーザビリティを向上させることができる。
【発明を実施するための最良の形態】
【００２３】
以下、本発明による好適な実施形態のキャッシュブラウジングシステムについて図面を参照して説明する。
【００２４】
〔第１の実施形態〕
図１は、本実施形態の概要を説明するための図である。本実施形態は、携帯電話装置のブラウザアプリケーションから短距離無線通信を利用し、パーソナルコンピュータ上で参照したブラウザのコンテンツキャッシュファイルを参照することで、パーソナルコンピュータを使用することなく、通信不可の場所でも通信料がかからずに、以前参照したコンテンツをブラウジングが可能となる。
【００２５】
図１において、携帯電話装置のブラウザアプリケーションの画面遷移の一例を画面１−１から画面１−３として示す。ここで、携帯電話装置の操作者が携帯電話装置にてＰＣ倉得座キャッシュ参照を選択する（画面１−１）。すると、携帯電話装置は履歴情報取得要求をパーソナルコンピュータ１０に行う（ステップＳ１）。
【００２６】
パーソナルコンピュータ１０のキャッシュ参照プログラム１２は、Ｗｅｂブラウザ１１が一般ＰＣサイトを参照して作成された、コンテンツキャッシュファイル１３より履歴情報を作成し、携帯電話装置に履歴情報送信を行う（ステップＳ２）。
【００２７】
携帯電話装置は、履歴情報の一覧を画面に表示し操作者に表示したいコンテンツを選択させる（画面１−２）。
【００２８】
そして、携帯電話装置は、操作者が選択したコンテンツの情報を基にパーソナルコンピュータ１０にコンテンツ取得要求を出す（ステップＳ３）。
【００２９】
コンテンツ取得要求を受け、パーソナルコンピュータ１０のキャッシュ参照プログラム１２は、要求されたコンテンツ情報を基にコンテンツキャッシュファイル１３より該当するコンテンツファイルを抽出し、携帯電話装置にコンテンツファイル送信を行う（ステップＳ４）。
【００３０】
コンテンツファイル送信を受け、携帯電話装置は、取得したコンテンツファイルを表示する（画面１−３）。なお、携帯電話とパーソナルコンピュータ間の通信は、短距離通信機能を使用するとよい。
【００３１】
次に、本実施形態の構成を示すブロック図である図２を参照して本実施形態の構成について、より詳細に説明する。
【００３２】
図２において、携帯電話装置１００は、ＰＣサイトのコンテンツが表示可能な携帯電話用Ｗｅｂブラウザ１０２と短距離通信装置１０１とを有している。また、パーソナルコンピュータ２００は、Ｗｅｂブラウザ２０２と短距離通信装置２０１とキャッシュ参照プログラム２０３とコンテンツキャッシュファイル群２０４とを有している。
【００３３】
携帯電話装置１００における携帯電話用Ｗｅｂブラウザ１０２の有する機能としては、履歴情報取得機能１０３とキャッシュコンテンツ取得機能１０４がある。以下に、それぞれについて説明する。
【００３４】
履歴情報取得機能１０３は、パーソナルコンピュータ２００のキャッシュ参照プログラム２０３に履歴情報を要求し、履歴情報を取得して履歴一覧を表示する。キャッシュコンテンツ取得機能１０４は、履歴一覧から操作者に表示したいコンテンツを選択させ、パーソナルコンピュータ２００のキャッシュ参照プログラム２０３に表示コンテンツ情報（例えば、図６に示すようなもの）に該当するコンテンツファイルの取得を要求し、コンテンツファイルを表示する。
【００３５】
パーソナルコンピュータ２００におけるＷｅｂブラウザ２０２は、一般ＰＣサイトが参照可能であり、また、キャッシュ機能２０５を有している。これは、Ｗｅｂブラウザ２０２が一般ＰＣサイト等を閲覧した際に、閲覧のためにローカルにコピーを作ったコンテンツファイルをキャッシュとして、コンテンツキャッシュファイル群２０４に保存しておく機能である。この機能によって、Ｗｅｂブラウザ２０２が更新されていないリモートのコンテンツを再度閲覧する際に、ローカルのコピーを参照することができるので、処理の高速化等のメリットがある。
【００３６】
パーソナルコンピュータ２００におけるキャッシュ参照プログラム２０３は、履歴情報抽出機能２０６とキャッシュコンテンツ抽出機能２０７とを有している。以下に、それぞれについて説明する。
【００３７】
履歴情報抽出機能２０６は、コンテンツキャッシュファイル群２０４を参照して、例えばファイル日付とタイトルとＵＲＬ情報等を含んでなる履歴一覧（例えば、図５に示すようなもの）を作成して、携帯電話装置１００に送信する。
【００３８】
キャッシュコンテンツ抽出機能２０７は、要求された表示コンテンツ情報（例えば、図６に示すようなもの）に該当するコンテンツファイルをコンテンツキャッシュファイル群２０４から抽出して、携帯電話装置１００に送信する。
【００３９】
携帯電話装置１００とパーソナルコンピュータ２００との間の通信は、お互いの短距離通信装置１０１と２０１によって行われるものとする。その通信プロトコルは特定しない。本実施形態における短距離通信装置１０１と２０１としては、特に限定するものではないが、Ｂｌｕｅｔｏｏｔｈ（登録商標）通信や、赤外線通信等を想定する。
【００４０】
次に、本実施形態の動作を示すフローチャート図である図３及び図４を参照して本実施形態の動作について、より詳細に説明する。まず、図３は、履歴一覧を表示するまでの処理の流れを表したものである。
【００４１】
図３において、まず、携帯電話装置１００は、携帯電話用Ｗｅｂブラウザ１０２の履歴情報取得機能１０３によって履歴情報の取得要求をパーソナルコンピュータ２００に行う（ステップＳ３０１）。
【００４２】
次に、携帯電話装置１００は、短距離通信装置１０１を使用して、履歴情報取得要求をパーソナルコンピュータ２００へ送信する（ステップＳ３０２）。
【００４３】
パーソナルコンピュータ２００は、履歴情報取得要求を短距離通信装置２０１によって受信すると、キャッシュ参照プログラム２０３の履歴情報抽出機能２０６によって、コンテンツキャッシュファイル群２０４が存在するか否かを判断する（ステップＳ３０３）。なお、この際、履歴情報抽出機能２０６は、履歴情報の件数を同時に調べる。調べた件数は、次のステップＳ３０４で使用する。
【００４４】
コンテンツキャッシュファイル群２０４が存在する場合（ステップＳ３０３、Ｙｅｓ）は、履歴情報抽出機能２０６で、コンテンツキャッシュファイル群２０４から、日付、タイトル、ＵＲＬを抽出し、履歴情報を作成する（ステップＳ３０４）。なお、この際、履歴情報抽出機能２０６は、ステップＳ３０３で調べた履歴情報の件数によって好適な履歴情報を作成する。作成する履歴情報が多くなりすぎる場合は件数に適宜閾値を設けて閾値を超えない件数の履歴情報を作成するようにする（例えば、最大で１２８件とする）。
【００４５】
コンテンツキャッシュファイル群２０４が存在しない場合（ステップＳ３０３、Ｎｏ）は、履歴情報の件数に０をセットする（ステップＳ３０５）。
【００４６】
次に、パーソナルコンピュータ２００は、短距離通信装置２０１を使用して、取得した履歴情報を携帯電話装置１００へ送信する（ステップＳ３０６）。
【００４７】
次に、履歴情報取得機能１０３は、履歴情報の件数を判断する（ステップＳ３０７）。件数が０件でない場合は（ステップＳ３０７、Ｎｏ）、履歴情報取得機能１０３は、履歴情報の一覧を画面に表示する（ステップＳ３０８）。件数が０件の場合は（ステップＳ３０７、Ｙｅｓ）、エラーメッセージを表示して終了する（ステップＳ３０９）。エラーメッセージは、例えば、「キャッシュはありません」等でよい。
【００４８】
次に、図４は、コンテンツファイルを携帯電話装置１００が取得するまでの処理の流れを表したものである。
【００４９】
図４において、携帯電話装置１００は、履歴一覧画面を操作者に示し、操作者は表示させたいコンテンツを選択する。そこで、携帯電話用Ｗｅｂブラウザ１０２のキャッシュコンテンツ取得機能１０４は、選択されたコンテンツのキャッシュファイルを取得する要求をパーソナルコンピュータ２００へ行う（ステップＳ４０１）。なお、その際、選択されたコンテンツの情報（以下、表示コンテンツ情報）を作成する。
【００５０】
次に、携帯電話装置１００は、短距離通信装置１０１を使用して、表示コンテンツ情報とコンテンツファイル取得要求とをパーソナルコンピュータ２００へ送信する（ステップＳ４０２）。
【００５１】
上記の要求等を受けて、パーソナルコンピュータ２００において、キャッシュ参照プログラム２０３のキャッシュコンテンツ抽出機能２０７は、表示コンテンツ情報を基にコンテンツキャッシュファイル群２０４より、該当するコンテンツファイルを抽出する（ステップＳ４０３）。
【００５２】
次に、パーソナルコンピュータ２００は、短距離通信装置２０１を使用して、キャッシュコンテンツ抽出機能２０７が抽出したコンテンツファイルを携帯電話装置１００へ送信する（ステップＳ４０４）。
【００５３】
コンテンツファイルの送信を受けた携帯電話装置１００は、携帯電話用Ｗｅｂブラウザ１０２にて、取得したコンテンツファイルを画面に表示する（ステップＳ４０５）。
【００５４】
以上で、本実施形態の動作の説明を終える。次に、本実施形態における履歴情報一覧と表示コンテンツ情報とを、図５と図６を参照して説明する。
【００５５】
図５は、本実施形態の履歴情報一覧の一例を示す図である。履歴情報一覧は、日付、タイトル、ＵＲＬを有して構成され、全体の件数が格納されている。
【００５６】
図６は、本実施形態の表示コンテンツ情報の一例を示す図である。表示コンテンツ情報は、日付、タイトル、ＵＲＬを有して構成される。
【００５７】
以上に説明した本実施形態によれば、既に取得したコンテンツのキャッシュを利用することで、携帯電話装置が課金通信を行わないため、携帯電話装置の無駄な通信量を削減することができる。
【００５８】
また、上記本実施形態によれば、パーソナルコンピュータを操作することなく、簡単に携帯電話装置でコンテンツキャッシュが参照可能であるため、利用者のユーザビリティ向上を実現することができる。また、短距離通信機能を利用することで、例えば鞄の中にしまったパーソナルコンピュータなど対象が離れていても利用可能であるため、同じく利用者のユーザビリティ向上を実現することができる。
【００５９】
〔第２の実施形態〕
以下に、本発明の第２の実施形態を説明する。
【００６０】
図７は、本発明による第２の実施形態の構成を示すブロック図である。図２のパーソナルコンピュータ２００を、図７に示すように、携帯電話装置３００で置き換える。
【００６１】
本発明において、コンテンツキャッシュファイルを提供する側の装置は、上記第１の実施形態のようなパーソナルコンピュータに限らず、携帯電話装置を用いてもよい。本発明は、携帯電話装置同士で通信する構成でも実施可能である。
【００６２】
図７において、携帯電話装置３００は、図２におけるパーソナルコンピュータ２００と同様のソフトウェアプログラムやハードウェアを備える。しかし、携帯電話装置３００のコンテンツキャッシュは、図２におけるパーソナルコンピュータ２００ではファイル形式で保存されていたが、図７ではＲＡＭ３０４上にコンテンツキャッシュデータとして保存されている。
【００６３】
一般に携帯電話のキャッシュ領域は小さいため、保存されているコンテンツ数は少ないが、本実施形態によれば、携帯電話装置３００で表示中のコンテンツを携帯電話装置１００で表示するといった使用方法が可能となる。また、誰かが課金通信を行ったコンテンツを別の携帯電話装置で同時に参照可能となる。
【００６４】
〔第３の実施形態〕
本実施形態は、上記第１の実施形態において、パーソナルコンピュータ２００が、さらにキャッシュ取得プログラムを有するものである。以下の説明において、上述したものと共通する構成又は動作については簡潔化のため説明を省略する。本実施形態の構成を示すブロック図を図８に示す。
【００６５】
図８において、キャッシュ取得プログラム８０１は、パーソナルコンピュータ２００に、ネットワーク上のコンテンツを取得させる処理を行うプログラムである。当該処理は、携帯電話装置１００からの自動巡回要求を受けて、自動的に行うことができる。したがって、ネットワーク上のコンテンツの取得を操作者が指示する必要のあるＷｅｂブラウザ２０２とは異なる。なお、ここで、ネットワークとは、インターネットや社内ＬＡＮ等を含む情報通信ネットワークである。
【００６６】
本実施形態は、次のように動作する。まず、携帯電話装置１００がパーソナルコンピュータ２００に自動巡回要求を出す。この際の要求は、短距離通信装置１０１を使用して行う短距離通信でも、例えばインターネット経由で行うインターネット通信でもよい。また、この際の要求は、操作者が所望するＵＲＬをパラメータとして渡してＵＲＬを伴う自動巡回要求を出す。
【００６７】
次に、自動巡回要求を受けたパーソナルコンピュータ２００のキャッシュ取得プログラム８０１は、指定されたＵＲＬの一般ＰＣサイト等のコンテンツファイルをフェッチ（取得）してコンテンツキャッシュファイル群２０４に格納する。また、指定されたＵＲＬのページ記述言語を解析してリンクをたどり、そのＵＲＬ以下のコンテンツをすべてキャッシュに取り込む。
【００６８】
本実施形態によれば、パーソナルコンピュータの操作を最小限に抑え、簡単に携帯電話装置でコンテンツキャッシュが参照可能であるため、利用者のユーザビリティのさらなる向上を実現することができる。
【００６９】
〔第４の実施形態〕
本実施形態は、上記第１の実施形態において、履歴情報取得要求を出したときに、日付の新しいものから順に、予め指定したサイズ（例えば、６４ＭＢｙｔｅ等）分だけ、履歴情報一覧を取得するものである。
【００７０】
図１を参照して、より詳細に説明をする。図１において、本実施形態の携帯電話装置は、履歴情報取得要求をパーソナルコンピュータ１０に対して送信する（ステップＳ１）。この要求を受けてパーソナルコンピュータ１０のキャッシュ参照プログラム１２は、予め指定されているサイズ分の履歴情報一覧を作成して携帯電話装置に送信する（ステップＳ２）。
【００７１】
なお、上記日付は、キャッシュの更新日付としてもよい。また、サイズの指定は、予めパーソナルコンピュータ１０にて設定してもよいし、携帯電話装置から履歴情報取得要求を出すとき（ステップＳ１）にサイズをパラメータとして渡すことによって指定してもよい。
【００７２】
本実施形態によれば、記憶容量に限りがある携帯電話端末に対して、記憶容量を超えた情報を送りつけてしまうことを防止することができる。
【００７３】
〔第５の実施形態〕
本実施形態は、上記第１の実施形態において、コンテンツを取得するとき画像を省略して文字のみ取得する構成とするものである。
【００７４】
図１を参照して、より詳細に説明をする。図１において、本実施形態のパーソナルコンピュータ１０は、コンテンツ取得要求を携帯電話装置から受ける（ステップＳ３）。すると次に、キャッシュ参照プログラム１２は、コンテンツキャッシュファイル１３から当該要求を受けたコンテンツについて、画像を除いた文字情報のみのコンテンツファイルを生成して、これを携帯電話装置へ送信する（ステップＳ４）。
【００７５】
本実施形態によれば、記憶容量に限りがある携帯電話端末に対して、一般的にデータサイズの大きい画像を送信しないことによって、携帯電話端末へ送るファイルのデータサイズ圧縮を実現することができる。
【図面の簡単な説明】
【００７６】
【図１】本発明による第１の実施形態の概要を説明するための図である。
【図２】本発明による第１の実施形態の構成を示すブロック図である
【図３】本発明による第１の実施形態の動作を示すフローチャート図（その１）である。
【図４】本発明による第１の実施形態の動作を示すフローチャート図（その２）である。
【図５】本実施形態の履歴情報一覧の一例を示す図である。
【図６】本実施形態の表示コンテンツ情報の一例を示す図である。
【図７】本発明による第２の実施形態の構成を示すブロック図である。
【図８】本発明による第３の実施形態の構成を示すブロック図である。
【符号の説明】
【００７７】
１０    パーソナルコンピュータ
１１    Ｗｅｂブラウザ
１２    キャッシュ参照プログラム
１３    コンテンツキャッシュファイル
１００    携帯電話装置
１０１    短距離通信装置
１０２    携帯電話用Ｗｅｂブラウザ
１０３    履歴情報取得機能
１０４    キャッシュコンテンツ取得機能
２００    パーソナルコンピュータ
２０１    短距離通信装置
２０２    Ｗｅｂブラウザ
２０３    キャッシュ参照プログラム
２０４    コンテンツキャッシュファイル群
２０５    キャッシュ機能
２０６    履歴情報抽出機能
２０７    キャッシュコンテンツ抽出機能
３００    携帯電話装置
３０１    短距離通信装置
３０２    携帯電話用Ｗｅｂブラウザ
３０３    キャッシュ参照プログラム
３０４    ＲＡＭ
３０５    キャッシュ機能
３０６    履歴情報抽出機能
３０７    キャッシュコンテンツ抽出機能
８０１    キャッシュ取得プログラム
【図１】
2008176643.tif 000003
【図２】
2008176643.tif 000004
【図３】
2008176643.tif 000005
【図４】
2008176643.tif 000006
【図５】
2008176643.tif 000007
【図６】
2008176643.tif 000008
【図７】
2008176643.tif 000009
【図８】
2008176643.tif 000010